(57)【特許請求の範囲】
【請求項１】
建築物の壁面に使用する壁面パネルであって、
透光性を有するバインダー樹脂内に透光性を有する樹脂粒子が拡散して混入された板状の第１パネル部材と、
該第１パネル部材の正面側の面に設けられ、バインダー樹脂内に光透過性の樹脂粒子が拡散して混入された板状の第２パネル部材と、
該第２パネル部材の正面側の面に形成された装飾層で、光透過性の塗料を手書きにより塗布することにより形成された装飾層と、
該第１パネル部材の背面側に形成され、第１パネル部材の側に光反射面を有する光反射シートと、
該第１パネル部材の端面に向けて光を照射する複数のＬＥＤを列設したＬＥＤ基板と、
を有することを特徴とする壁面パネル。
【請求項２】
第２パネルにおけるバインダー樹脂に対する樹脂粒子の重量割合が、第１パネルにおけるバインダー樹脂に対する樹脂粒子の重量割合よりも少ないことを特徴とする請求項１に記載の壁面パネル。
【請求項３】
上記樹脂粒子が、異なる光透過率及び／又は屈折率を有する複数種類の光透過性の樹脂粒子により構成されていることを特徴とする請求項１又は２に記載の壁面パネル。
【請求項４】
上記第２パネルの端面に向けて光を照射する複数のＬＥＤを列設した第２のＬＥＤ基板を有することを特徴とする請求項１又は２又は３に記載の壁面パネル。
【発明の詳細な説明】
【技術分野】
【０００１】
本発明は、壁面パネルに関するものであり、特に、発光部を有する壁面パネルに関するものである。
【背景技術】
【０００２】
従来における壁面パネルは木材等により構成されていて、特に、建物の内側の内壁面に装飾を施すには、内壁面用の壁面パネル自体の表面に装飾を施すことが行われていた。
【０００３】
また、特許文献１に示すように、建物の外壁の表面に面状発光部を設けて、建物を浮かび上がらせたり、意匠性を向上させたりするものが開示されている。
【特許文献１】特開平７−２１７１４９号公報
【発明の開示】
【発明が解決しようとする課題】
【０００４】
しかし、壁面、特に、建物の内壁面に用いる壁面パネルで、従来にない趣きのある装飾を行なうことができる壁面パネルが望まれていた。
【０００５】
また、上記特許文献１の場合には、建物の外壁の表面に面状発光部を設けることにより、建物の輪郭を浮かび上がらせることはできるが、趣きのある装飾を施すことができないという問題があった。
【０００６】
そこで、本発明は、主として建物の内壁に用いる壁面パネルであって、従来にない趣きのある装飾を行なうことができる壁面パネルを提供することを目的とするものである。
【課題を解決するための手段】
【０００７】
本発明は上記問題点を解決するために創作されたものであって、第１には、建築物の壁面に使用する壁面パネルであって、透光性を有するバインダー樹脂内に透光性を有する樹脂粒子が拡散して混入された板状の第１パネル部材と、該第１パネル部材の正面側の面に設けられ、バインダー樹脂内に光透過性の樹脂粒子が拡散して混入された板状の第２パネル部材と、該第２パネル部材の正面側の面に形成された装飾層で、光透過性の塗料を手書きにより塗布することにより形成された装飾層と、該第１パネル部材の背面側に形成され、第１パネル部材の側に光反射面を有する光反射シートと、該第１パネル部材の端面に向けて光を照射する複数のＬＥＤを列設したＬＥＤ基板と、を有することを特徴とする。
この第１の構成の壁面パネルにおいては、ＬＥＤ基板に設けられたＬＥＤから光が照射されると、第１パネル部材内に拡散して混入された樹脂粒子と光反射シートにより、第１パネル部材の正面側の面が面発光する。また、第１パネル部材から面発光により出力された光は、第２パネル部材内に侵入し、樹脂粒子により乱反射し、第２パネル部材の正面側の面の全面が発光する。すると、面発光により正面側に照射された光のうち、装飾層の背面から照射された光は装飾層を透過して正面側に照射される。これにより、装飾層も背面から光照射される。よって、装飾層が背面側から光照射され、これにより、装飾性を向上させることができる。特に、装飾層は、塗料を手書きにより塗布されていて、塗料の厚みが不均一に形成されているので、厚みの薄い部分は光の透過性が高く、また、厚みの厚い部分は光の透過性が低いので、光の透過性に差を設けた微妙な表現をすることができ、従来にない趣きのある装飾を行なうことができる。
また、第１パネル部材の正面側に第２パネル部材が設けられていることから、第１パネル部材の正面側の面が反射率の低い鏡面として作用し、装飾層の背面側の面が第１パネル部材の正面側の面に写り込み、壁面パネルを正面側から視認した場合に、装飾層の正面側の面とともに、第１パネル部材の正面側の面に写り込んだ装飾層の背面側の面を見ることができ、装飾層の絵柄の周囲が二重に表現される。また、第２パネル部材の正面側と第１パネル部材の正面側とが前後方向にずれていることから装飾層の正面側の面と装飾層の背面側の面とがずれて表示されるので、奥行き感のある表現ができる。
特に、面発光機能を有する第２パネル部材が第１パネル部材よりも正面側にあり、第２パネル部材内には樹脂粒子が混入されているため、第１パネル部材の面への写り込みもぼやけたものとなり、装飾層の正面側の面は明確に視認できるものの、写り込みの画像はぼけていることから、これらにより従来にない趣きのある装飾を行うことができる。
【０００８】
また、第２には、上記第１の構成において、第２パネルにおけるバインダー樹脂に対する樹脂粒子の重量割合が、第１パネルにおけるバインダー樹脂に対する樹脂粒子の重量割合よりも少ないことを特徴とする。
また、第３には、上記第１又は第２の構成において、上記樹脂粒子が、異なる光透過率及び／又は屈折率を有する複数種類の光透過性の樹脂粒子により構成されていることを特徴とする。これにより、光の拡散と輝度とを調整することができる。
また、第４には、前記第１から第３までのいずれかの構成において、上記第２パネルの端面に向けて光を照射する複数のＬＥＤを列設した第２のＬＥＤ基板を有することを特徴とする。
【発明の効果】
【０００９】
本発明に基づく壁面パネルによれば、装飾層が背面側から光照射されるので、装飾性を向上させることができる。特に、装飾層は、塗料を手書きにより塗布されていて、塗料の厚みが不均一に形成されているので、厚みの薄い部分は光の透過性が高く、また、厚みの厚い部分は光の透過性が低いので、光の透過性に差を設けた微妙な表現をすることができ、従来にない趣きのある装飾を行なうことができる。
【発明を実施するための最良の形態】
【００１０】
本発明においては、主として建物の内壁に用いる壁面パネルであって、従来にない趣きのある装飾を行なうことができる壁面パネルを提供するという目的を以下のようにして実現した。
【００１１】
なお、以下に説明する壁面パネルＡ１、Ａ２、Ａ３、Ａ４、Ａ２’は、図９に示すように、建物Ｃ内の空間を仕切る壁面パネルとして用いられるものである。
【実施例１】
【００１２】
本発明に基づく壁面パネルＡ１は、図１〜図３に示すように構成され、パネル本体１０と、装飾層２０と、光反射シート３０と、フレーム部４０と、ＬＥＤ基板５０とを有している。
【００１３】
ここで、パネル本体（パネル部材）１０は、面発光機能を有する板状のパネル部材であり、主として、バインダー樹脂１２内に樹脂粒子１４を混入させたものである。
【００１４】
このバインダー樹脂１２は、アクリル樹脂、ポリカーボネート、ポリ塩化ビニル、ポリスチン、ポリエステル、ポリウレタン等の光学的透明性を有する樹脂により形成されて、上記の中で、アクリル樹脂（特に、透明なアクリル樹脂）が好ましい。
【００１５】
また、樹脂粒子１４は、樹脂により形成された粒子であり、異なる光透過率及び／又は屈折率を有する複数種類の透光性（光透過性としてもよい）を有する樹脂粒子により構成されている。例えば、樹脂粒子１４は、アクリル樹脂により形成されたアクリル樹脂粒子と、シリコン樹脂により形成されたシリコン樹脂粒子により構成されたものとする。
【００１６】
なお、パネル本体１０に使用する樹脂粒子１４の含有量としては、バインダー樹脂が１００重量％に対して、樹脂粒子が４０〜１２０重量％とし、樹脂粒子１４におけるアクリル樹脂粒子とシリコン樹脂粒子の混合割合は、アクリル樹脂粒子が７０〜９０重量％で、シリコン樹脂粒子が１０〜３０重量％とする。また、樹脂粒子１４の粒径としては、１．０〜３０．０μｍとするのが好ましい。樹脂粒子１４は、バインダー樹脂１２内に拡散して混入された状態となっている。つまり、シリコン樹脂粒子の場合には、光の拡散性は向上するものの正面側への輝度が低下するため、アクリル樹脂粒子を混入させて輝度の低下を防ぐのである。
【００１７】
また、装飾層２０は、パネル本体１０の正面側の表面に塗料を塗布して形成されたものであり、１又は複数の色の塗料を塗布することにより描画された絵柄が表示されている。なお、この装飾層２０は、塗料を筆等により手書きにより塗布することにより形成されたものであり、これにより、塗料の厚みが不均一となっていて、塗料の厚みが厚い箇所と薄い箇所が設けられている。例えば、塗料の厚みの最も厚い箇所の厚みをαとすると、塗料の厚みの最も薄い箇所の厚みが、０．１〜０．５×αとなっている。この装飾層２０を構成する塗料は、光透過性（透光性）を有する樹脂性塗料である。なお、この塗料は、パネル本体１０のバインダー樹脂１２の材質と同じとするのが好ましい。これにより、パネル本体１０への定着性を高めることができる。つまり、バインダー樹脂１２にアクリル樹脂を使用する場合には、装飾層２０に使用する塗料は、アクリル樹脂系塗料とすることが好ましい。
【００１８】
また、光反射シート３０は、パネル本体１０の背面に設けられていて、パネル本体１０側に光反射面を有するシートである。つまり、光反射シート３０は、その反射面がパネル本体１０の背面に接触するように取り付けられている。
【００１９】
また、光反射シート３２は、パネル本体１０の上面に設けられていて、パネル本体１０側に光反射面を有するシートである。つまり、光反射シート３２は、その反射面がパネル本体１０の上面に接触するように取り付けられている。また、光反射シート３４は、パネル本体１０の下面に設けられていて、パネル本体１０側に光反射面を有するシートである。つまり、光反射シート３４は、その反射面がパネル本体１０の下面に接触するように取り付けられている。光反射シート３０、３２、３４のパネル本体１０への取付けは、光反射シート３０、３２、３４とパネル本体１０の接触面を透明な接着剤により接着する方法が考えられる。
【００２０】
上記の光反射シート３０、３２、３４の構成としては、例えば、アルミニウムを蒸着したシートや、合成樹脂（例えば、ＰＥＴ）に銀を蒸着させたものが挙げられる。
【００２１】
また、フレーム部４０は、パネル本体１０の側部に取り付けられ、断面略コ字状を呈するフレーム状に形成されている。つまり、フレーム部４０は、板状の側面部４２ａと、板状の正面部４２ｂと、板状の背面部４２ｃとを有し、断面コ字状に形成されている。また、フレーム部４０の正面部４２ｂの内側と背面部４２ｃの内側には、突出部４４が形成されていて、パネル本体１０の側面に当接するようになっている。なお、この突出部４４は、フレーム部４０の上端領域と下端領域のみに形成されていて、ＬＥＤ５４からの光の邪魔にならないように構成されている。
【００２２】
なお、フレーム部４０のパネル本体１０への取付けは、例えば、フレーム部４０の正面部４２ｂの背面とパネル本体１０の正面部の端部領域の間を接着するとともに、フレーム部４０の背面部４２ｃの正面とパネル本体１０の背面部の端部領域の間を接着する方法や、フレーム部４０とパネル本体１０とをネジ止めする方法が考えられる。
【００２３】
また、ＬＥＤ基板５０は、フレーム部４０内に設けられ、基板本体５２と、ＬＥＤ５４とを有している。つまり、基板本体５２は、板状を呈し、ＬＥＤ５４は、基板本体５２のパネル本体１０側に複数列設されている。このＬＥＤ基板５０は、フレーム部４０の側面部４２ａと突出部４４間の領域に設けられている。これにより、ＬＥＤ５４がパネル本体１０の側面に対置され、ＬＥＤ５４からの光が、パネル本体１０の側面に対して略直角に入射されるようになっている。
【００２４】
上記構成の壁面パネルＡ１の作用について説明する。ＬＥＤ基板５０に設けられたＬＥＤ５４から光が照射されると、パネル本体１０の正面側の面が面発光する。すなわち、パネル本体１０の側面に入射されると、パネル本体１０内に入射した光は、樹脂粒子１４により乱反射し、乱反射した光の一部はパネル本体１０の内部から外部に照射される。また、乱反射した光の一部やパネル本体１０に入射した光の一部は直接光反射シート３０、３２、３４に当たって反射し、パネル本体１０の内部から外部に照射される。以上のようにして、パネル本体１０の正面側の面の全面が発光する。つまり、パネル本体１０の正面側の面が面発光する。
【００２５】
すると、面発光により正面側に照射された光のうち、装飾層２０の背面から照射された光は装飾層２０を透過して正面側に照射される。これにより、装飾層２０も背面から光照射される。
【００２６】
以上のように、本実施例の壁面パネルＡ１によれば、面発光するパネル本体１０の正面側に装飾層２０が設けられているので、装飾層２０が背面側から光照射され、これにより、装飾性を向上させることができる。
【００２７】
特に、装飾層２０は、塗料を手書きにより塗布されていて、塗料の厚みが不均一に形成されているので、厚みの薄い部分は光の透過性が高く、また、厚みの厚い部分は光の透過性が低いので、光の透過性に差を設けた微妙な表現をすることができ、従来にない趣きのある装飾を行なうことができる。
【００２８】
よって、実施例１の壁面パネルＡ１をホテル、旅館のホール、宴会場、会議室等の壁面に使用した場合に、従来にない趣きのある装飾を行うことができる。
【実施例２】
【００２９】
次に、実施例２の壁面パネルについて説明する。実施例２の壁面パネルＡ２は、実施例１の壁面パネルと略同様の構成であるが、パネル本体の構成が異なる。
【００３０】
すなわち、図４に示すように、パネル本体１１０は、パネル部材１１２と、透明部材（透光性部材）１１４とにより構成されている。
【００３１】
このパネル部材１１２は、面発光機能を有する板状のパネル部材であり、上記実施例１のパネル本体１０と同様の構成となっている。つまり、バインダー樹脂内に樹脂粒子を拡散して混入した構成となっている。パネル部材１１２の詳しい構成は、実施例１のパネル本体１０と同様であるので説明を省略する。
【００３２】
また、透明部材１１４は、板状の透明な部材であり、透明樹脂に形成されている。この透明部材１１４は、例えば、アクリル樹脂、ポリカーボネート、ポリ塩化ビニル、ポリスチン、ポリエステル、ポリウレタン等の光学的透明性を有する樹脂により形成されて、上記の中で、アクリル樹脂が好ましい。この透明部材１１４には、上記樹脂粒子は混入されていない。なお、この透明部材１１４は、透明部材でなくても、透光性を有する部材であればよい。あるいは互いに付勢力を有して係合する係合片（例えば、凹凸の係合片、又は、雄雌の係合片）によって、分離されたパネル部材１１２と透明部材１１４とを嵌合し一体とする構成としてもよい。
【００３３】
そして、透明部材１１４の背面部がパネル部材１１２の正面部に接触した状態でパネル本体１１０を構成するが、パネル部材１１２と透明部材１１４とを一体に構成する方法としては、パネル部材１１２と透明部材１１４とを接着する方法が考えられるが、その場合には、パネル部材１１２と透明部材１１４の接触面の周囲の領域を接着剤により接着する方法や、パネル部材１１２と透明部材１１４の接触面を透明な接着剤により接着する方法が考えられる。また、パネル本体１１０をフレーム部４０に取り付ける方法は、上記実施例１と同様である。なお、パネル部材１１２と透明部材１１４とを接着させずに、パネル部材１１２をフレーム部４０の背面部４２ｃに対してネジ止めするとともに、パネル部材１１４をフレーム部４０の正面部４２ｂに対してネジ止めして、パネル部材１１２と透明部材１１４をフレーム部４０に取り付ける方法も考えられる。
【００３４】
また、装飾層２０は、透明部材１１４の正面部に設けられている。装飾層２０の構成は、実施例１の装飾層２０と同様であるので詳しい説明を省略する。
【００３５】
また、光反射シート３０は、パネル部材１１２の背面に設けられている。また、光反射シート３２は、パネル本体１１０の上面（つまり、パネル部材１１２の上面と透明部材１１４の上面）に設けられ、光反射シート３４は、パネル本体１１０の下面（つまり、パネル部材１１２の下面と透明部材１１４の下面）に設けられている。光反射シート３０、３２、３４の構成は、実施例１の光反射シート３０、３２、３４と同様であるので詳しい説明を省略する。
【００３６】
また、ＬＥＤ５４は、パネル部材１１２の側方に設けられ（図４参照）、パネル部材１１２の側面に略直角に光が入射されるように構成されている。
【００３７】
上記以外の構成は、実施例１と同様であるので、詳しい説明を省略する。
【００３８】
上記実施例２の構成の壁面パネルＡ２の作用について説明する。ＬＥＤ基板５０に設けられたＬＥＤ５４から光が照射されると、パネル本体１１０におけるパネル部材１１２の側面に入射される。すると、パネル部材１１２内に入射した光は、樹脂粒子１４により乱反射し、乱反射した光の一部はパネル部材１１２の内側から外側に向かって照射される。また、乱反射した光の一部やパネル部材１１２に入射した光の一部は直接光反射シート３０、３２、３４に当たって反射し、パネル部材１１２の内側から外側に向かって照射される。以上のようにして、パネル部材１１２の正面側の面の全面が発光する。つまり、パネル部材１１２の正面側の面が面発光する。
【００３９】
パネル部材１１２の正面側から照射された光は、透明部材１１４を通って透明部材１１４の正面側から外部に照射されるので、透明部材１１４も面発光し、結果として、パネル本体１１０の正面側の面が面発光する。
【００４０】
すると、面発光により正面側に照射された光のうち、装飾層２０の背面から照射された光は装飾層２０を透過して正面側に照射される。これにより、装飾層２０も背面から光照射される。
【００４１】
以上のように、実施例２の壁面パネルＡ２によれば、面発光するパネル本体１１０の正面側に装飾層２０が設けられているので、装飾層２０が背面側から光照射され、これにより、装飾性を向上させることができる。
【００４２】
特に、装飾層２０は、塗料を手書きにより塗布されていて、塗料の厚みが不均一に形成されているので、厚みの薄い部分は光の透過性が高く、また、厚みの厚い部分は光の透過性が低いので、光の透過性に差を設けた微妙な表現をすることができ、従来にない趣きのある装飾を行なうことができる。
【００４３】
また、パネル部材１１２の正面側に透明部材１１４が設けられていることから、パネル部材１１２の正面側の面が反射率の低い鏡面として作用し、装飾層２０の背面側の面がパネル部材１１２の正面側の面に写り込み、壁面パネルを正面側から視認した場合に、装飾層２０の正面側の面とともに、パネル部材１１２の正面側の面に写り込んだ装飾層２０の背面側の画像を見ることができ、装飾層２０の絵柄の周囲が二重に表現される。また、透明部材１１４の正面側とパネル部材１１２の正面側とが前後方向にずれていることから装飾層２０の正面側の面と装飾層２０の背面側の面とがずれて表示されるので、奥行き感のある表現ができる。以上のようにして、従来にない趣きのある装飾を行うことができる。
【００４４】
以上のようにして、壁面パネルＡ２をホテル、旅館のホール、宴会場、会議室等の壁面に使用した場合に、従来にない趣きのある装飾を行うことができる。
【実施例３】
【００４５】
次に、実施例３の壁面パネルについて説明する。実施例３の壁面パネルＡ３は、実施例２の壁面パネルと略同様の構成であるが、パネル本体の構成が異なり、パネル部材と透明部材とが逆の構成となっている。
【００４６】
すなわち、図５に示すように、パネル本体２１０は、透明部材（透光性部材）２１２と、パネル部材２１４とにより構成されている。
【００４７】
この透明部材２１２は、実施例２の透明部材１１４と同様の構成であり、板状の透明な部材であり、透明樹脂に形成されている。透明部材２１２の詳しい構成は、実施例２の透明部材１１４と同様であるので説明を省略する。
【００４８】
また、パネル部材２１４は、面発光機能を有する板状のパネル部材であり、上記実施例２のパネル部材１１２と同様の構成となっている。つまり、バインダー樹脂内に樹脂粒子を拡散して混入した構成となっている。なお、透明部材２１２の正面側の面が後述のように鏡面とし装飾層２０が写り込むために、樹脂粒子の混入量は上記実施例１や実施例２よりも少なくするのが好ましく、例えば、バインダー樹脂が１００重量％に対して、樹脂粒子が４０〜６０重量％とするのが好ましい。パネル部材２１４の詳しい構成は、実施例２のパネル部材１１２と同様であるので説明を省略する。
【００４９】
そして、パネル部材２１４の背面部が透明部材２１２の正面部に接触した状態でパネル本体２１０を構成している。つまり、本実施例のパネル本体２１０は、実施例２のパネル本体１１０におけるパネル部材と透明部材とを逆に配置した構成であるといえる。
【００５０】
なお、ＬＥＤ５４は、透明部材２１２の側方に設けられ（図５参照）、透明部材２１２の側面に略直角に光が入射されるように構成されている。上記以外の構成は、実施例２と同様であるので、詳しい説明を省略する。
【００５１】
上記実施例３の構成の壁面パネルＡ３の作用について説明する。ＬＥＤ基板５０に設けられたＬＥＤ５４から光が照射されると、パネル本体２１０における透明部材２１２の側面に入射される。すると、透明部材２１２内に入射した光は、光反射シート３０、３２、３４により反射してパネル部材２１４の背面側に至る。なお、透明部材２１２内に入射した光の一部は、直接パネル部材２１４の背面側に至る。
【００５２】
パネル部材２１４の背面側に至った光は、パネル部材２１４内に侵入し、樹脂粒子１４により乱反射し、パネル部材２１４の正面側の面の全面が発光する。つまり、パネル部材２１４の正面側の面が面発光する。以上のようにして、パネル本体２１０の正面側の面が面発光する。
【００５３】
すると、面発光により正面側に照射された光のうち、装飾層２０の背面から照射された光は装飾層２０を透過して正面側に照射される。これにより、装飾層２０も背面から光照射される。
【００５４】
以上のように、実施例３の壁面パネルＡ３によれば、面発光するパネル本体２１０の正面側に装飾層２０が設けられているので、装飾層２０が背面側から光照射され、これにより、装飾性を向上させることができる。
【００５５】
特に、装飾層２０は、塗料を手書きにより塗布されていて、塗料の厚みが不均一に形成されているので、厚みの薄い部分は光の透過性が高く、また、厚みの厚い部分は光の透過性が低いので、光の透過性に差を設けた微妙な表現をすることができ、従来にない趣きのある装飾を行なうことができる。
【００５６】
また、透明部材２１２の正面側にパネル部材２１４が設けられていることから、透明部材２１２の正面側の面が反射率の低い鏡面として作用し、装飾層２０の背面側の面が透明部材２１２の正面側の面に写り込み、壁面パネルを正面側から視認した場合に、装飾層２０の正面側の面とともに、透明部材２１２の正面側の面に写り込んだ装飾層２０の背面側の面を見ることができ、装飾層２０の絵柄の周囲が二重に表現される。また、パネル部材２１４の正面側と透明部材２１２の正面側とが前後方向にずれていることから装飾層２０の正面側の面と装飾層２０の背面側の面とがずれて表示されるので、奥行き感のある表現ができる。
【００５７】
特に、面発光機能を有するパネル部材２１４が透明部材２１２よりも正面側にあり、パネル部材２１４内には樹脂粒子が混入されているため、透明部材２１２の面への写り込みも実施例２に比べてぼやけたものとなり、装飾層２０の正面側の面は明確に視認できるものの、写り込みの画像はぼけていることから、これらにより従来にない趣きのある装飾を行うことができる。
【００５８】
また、透明部材２１２にＬＥＤ５４からの光が入射されるため、実施例２のパネル部材１１２に比べて、正面側に反射される光量は小さいため、実施例２に比べて全体としては暗い面発光となり、上記のぼやけた写り込み画像ととともに、従来にない趣きのある装飾を行うことができる。
【００５９】
以上のようにして、壁面パネルＡ３をホテル、旅館のホール、宴会場、会議室等の壁面に使用した場合に、従来にない趣きのある装飾を行うことができる。
【実施例４】
【００６０】
次に、実施例４の壁面パネルについて説明する。実施例４の壁面パネルＡ４は、実施例２の壁面パネルと略同様の構成であるが、パネル本体の構成が異なり、透明部材１１４の代わりに面発光機能を有するパネル部材となっている。
【００６１】
すなわち、図６に示すように、パネル本体３１０は、パネル部材３１２と、パネル部材３１４とにより構成されている。
【００６２】
このパネル部材３１２は、実施例２のパネル部材１１２と同様の構成であり、面発光機能を有する板状のパネル部材である。つまり、バインダー樹脂内に樹脂粒子を拡散して混入した構成となっている。パネル部材３１２の詳しい構成は、実施例２のパネル部材１１２と同様であるので説明を省略する。
【００６３】
また、パネル部材３１４もパネル部材３１２と同様の構成であり、面発光機能を有する板状のパネル部材である。つまり、バインダー樹脂内に樹脂粒子を拡散して混入した構成となっている。なお、パネル部材３１２の正面側の面が後述のように鏡面とし装飾層２０が写り込むために、パネル部材３１４における樹脂粒子の混入量は上記実施例１や実施例２よりも少なくするのが好ましく、例えば、バインダー樹脂が１００重量％に対して、樹脂粒子が４０〜６０重量％とするのが好ましい。パネル部材３１４の詳しい構成は、実施例２のパネル部材１１２と同様であるので説明を省略する。
【００６４】
そして、パネル部材３１４の背面部がパネル部材３１２の正面部に接触した状態でパネル本体３１０を構成している。つまり、本実施例のパネル本体３１０は、面発光機能を有する板状のパネル部材を二枚重ねた構成であるといえる。
【００６５】
なお、ＬＥＤ５４は、パネル部材３１２の側方に設けられ（図６参照）、パネル部材３１２の側面に略直角に光が入射されるように構成されている。上記以外の構成は、実施例２と同様であるので、詳しい説明を省略する。
【００６６】
上記実施例４の構成の壁面パネルＡ４の作用について説明する。ＬＥＤ基板５０に設けられたＬＥＤ５４から光が照射されると、パネル本体３１０におけるパネル部材３１２の側面に入射される。すると、パネル部材３１２内に入射した光は、樹脂粒子１４により乱反射し、乱反射した光の一部はパネル部材３１２の内側から外側に向かって照射される。また、乱反射した光の一部やパネル部材３１２に入射した光の一部は直接光反射シート３０、３２、３４に当たって反射し、パネル部材３１２の内側から外側に向かって照射される。以上のようにして、パネル部材３１２の正面側の面の全面が発光する。つまり、パネル部材３１２の正面側の面が面発光する。
【００６７】
パネル部材３１２から面発光により出力された光は、パネル部材３１４内に侵入し、樹脂粒子１４により乱反射し、パネル部材３１４の正面側の面の全面が発光する。つまり、パネル部材３１４の正面側の面が面発光する。以上のようにして、パネル本体３１０の正面側の面が面発光する。
【００６８】
すると、面発光により正面側に照射された光のうち、装飾層２０の背面から照射された光は装飾層２０を透過して正面側に照射される。これにより、装飾層２０も背面から光照射される。
【００６９】
以上のように、実施例４の壁面パネルＡ４によれば、面発光するパネル本体３１０の正面側に装飾層２０が設けられているので、装飾層２０が背面側から光照射され、これにより、装飾性を向上させることができる。
【００７０】
特に、装飾層２０は、塗料を手書きにより塗布されていて、塗料の厚みが不均一に形成されているので、厚みの薄い部分は光の透過性が高く、また、厚みの厚い部分は光の透過性が低いので、光の透過性に差を設けた微妙な表現をすることができ、従来にない趣きのある装飾を行なうことができる。
【００７１】
また、パネル部材３１２の正面側にパネル部材３１４が設けられていることから、パネル部材３１２の正面側の面が反射率の低い鏡面として作用し、装飾層２０の背面側の面がパネル部材３１２の正面側の面に写り込み、壁面パネルを正面側から視認した場合に、装飾層２０の正面側の面とともに、パネル部材３１２の正面側の面に写り込んだ装飾層２０の背面側の面を見ることができ、装飾層２０の絵柄の周囲が二重に表現される。また、パネル部材３１４の正面側とパネル部材３１２の正面側とが前後方向にずれていることから装飾層２０の正面側の面と装飾層２０の背面側の面とがずれて表示されるので、奥行き感のある表現ができる。
【００７２】
特に、面発光機能を有するパネル部材３１４がパネル部材３１２よりも正面側にあり、パネル部材３１４内には樹脂粒子が混入されているため、パネル部材３１２の面への写り込みも実施例２に比べてぼやけたものとなり、装飾層２０の正面側の面は明確に視認できるものの、写り込みの画像はぼけていることから、これらにより従来にない趣きのある装飾を行うことができる。
【００７３】
ただし、実施例３の構成に比べて、パネル部材の正面側からの光量は多いことから、実施例３の場合には、暗い面発光となるに対して、本実施例の場合には、実施例３に比べてパネル本体３１０の面発光を明るくすることができる。
【００７４】
以上のようにして、壁面パネルＡ４をホテル、旅館のホール、宴会場、会議室等の壁面に使用した場合に、従来にない趣きのある装飾を行うことができる。
【実施例５】
【００７５】
実施例５の壁面パネルＡ２’は、上記実施例２の壁面パネルＡ２と略同様の構成であるが、パネル部材１１２と透明部材１１４のそれぞれにＬＥＤを対置させた構成となっている。すなわち、図７に示すように、壁面パネルＡ２’においては、パネル部材１１２の側面にはＬＥＤ５４が対置され、透明部材１１４の側面にはＬＥＤ５６が対置されている。そして、ＬＥＤを発光させるモードとして、ＬＥＤ５４のみを発光させるモードと、ＬＥＤ５６のみを発光させるモードと、ＬＥＤ５４とＬＥＤ５６の両方を発光させるモードとが設けられ、これらのモードを切り換え制御できるようになっている。これにより、単一のパネル本体１１０においても複合的な多種類の室内照明パターンを創出させることが可能とする作用効果を生じるとともに壁面パネルの照度を向上させる効果をも生じる。
【００７６】
なお、上記実施例３においても、透明部材２１２の側面とパネル部材２１４の側面のそれぞれにＬＥＤを対置させ、上記のように、いずれか一方のＬＥＤを発光させるモードと、両方のＬＥＤを発光させるモードとを切換え可能に構成してもよい。
【００７７】
また、上記実施例４においても、パネル部材３１２の側面とパネル部材３１４の側面のそれぞれにＬＥＤを対置させ、上記のように、いずれか一方のＬＥＤを発光させるモードと、両方のＬＥＤを発光させるモードとを切換え可能に構成してもよい。
【００７８】
なお、上記実施例２、実施例３、実施例５において、透明部材１１４、２１２の代わりに、着色した透光性部材を使用して、着色した光を発光させるようにしてもよい。これにより、装飾層の色との組み合わせにより装飾層の色彩を変化させることができる。例えば、透明部材１１４、２１２の代わりに青色に着色した透光性部材を用いるとともに、装飾層に赤色の塗料を用いることにより、赤色の装飾層の裏面から青色の光を照射させて、紫色に発光させることができる。また、透明部材１１４、２１２の代わりに、複数の着色した透光性部材を重ねて構成したものとし、各透光性部材の色を異なる色としてもよい。
【００７９】
また、上記実施例１〜５において、ＬＥＤ５４をフルカラーＬＥＤとする等して、複数種類の色の光を照射できるようにして、パネル本体の正面から発光される光の色を可変可能として、これにより、装飾層の色との組み合わせにより装飾層の色彩を多様に変化させることができる。例えば、装飾層に赤色の塗料を塗布した部分（赤色部分）について、ＬＥＤからの光を青色にすると、装飾層の赤色部分に青色の光が照射されるので、紫色に表示され、一方、ＬＥＤからの光を緑色にすると、装飾層の赤色部分に緑色の光が照射されるので、黄色に表示されることになる。
【００８０】
なお、上記実施例１〜５の壁面パネルにおいては、パネル本体の両側にＬＥＤ基板を設けるものとして説明したが、パネル本体の一方の側部のみに設け、他方の側部には光反射シートを設けるようにしてもよい。
【００８１】
また、複数の壁面パネルを一列につなげて１つの壁面パネル群を構成し、各壁面パネルにおけるＬＥＤをフルカラーＬＥＤとして、ＬＥＤから発光する光の色を変化させる、いわゆる、発光色の切換え制御を行なう場合に、各壁面パネルにおいて、ＬＥＤから発光する出力タイミングを同期させて、ＬＥＤから発光する色の変化を同期させる必要があるが、複数の壁面パネルのＬＥＤ基板を１つのコントローラに接続して、該コントローラが制御するチャネル（各チャネルが各ＬＥＤ基板に対応している）に発光させる色を指示する制御信号を送る方法が考えられるが、汎用のコントローラでは制御できるチャネル数に限界があることから、汎用のコントローラよりもチャネル数の多いコントローラを特別に作成する必要が出てきてしまい、コストが掛かってしまう。
【００８２】
そこで、図８に示すように、壁面パネル群Ｂは、複数（具体的には４つ）の壁面パネルＡ１と、コントローラ５００と、リモコン受信装置５１０と、リモコン５２０とを有し、４つのチャンネルを有する汎用のコントローラ５００、５０２に壁面パネルＡ１のＬＥＤ基板５０に接続し、コントローラ５００とコントローラ５０２の間は、ＲＳ４８５等のインタフェースにより接続して（つまり、コントローラ５００、５０２には、インターフェース機能を有している）、コントローラ５００の１つに接続したリモコン受信装置５１０に対して、リモコン５２０から操作することにより、低コストで多くの壁面パネルのＬＥＤ基板を制御することができる。
【００８３】
つまり、リモコン５２０によりある色を指示する操作をすると、その色についての信号がリモコン受信装置５１０に送信されて、リモコン受信装置５１０からコントローラ５００に信号が送られる。すると、コントローラ５００は、該信号に従い、ＬＥＤからその色の光を出力するように、コントローラ５００に接続されたＬＥＤ基板５０を制御する。また、コントローラ５００は、インタフェース機能に基づき該信号をコントローラ５０２に送信し、コントローラ５０２は、該信号に従い、ＬＥＤからその色の光を出力するように、コントローラ５０２に接続されたＬＥＤ基板５０を制御する。
【００８４】
なお、上記のＬＥＤからの発光色の切換え制御は、ある壁面パネルにおける複数のＬＥＤが全て同じ色の光を出力する場合のみならず、ある壁面パネルにおける複数のＬＥＤにおいて、少なくとも１つのＬＥＤが異なる色の光を出力する等異なる色の光を出力する場合にも適用される。
【００８５】
なお、上記の説明では、ＬＥＤから出力される光の色を制御する場合について説明したが、これには限られず、ＬＥＤからの光の光量（輝度としてもよい）を切り替える場合や、ＬＥＤを点滅させる場合の点滅パターンを切り替える場合等、他の出力タイミングを切り替える場合に適用してもよい。
【００８６】
また、図８においては、壁面パネルＡ１を例にとって説明したが、上記実施例２〜５の壁面パネルであってもよい。
【００８７】
また、上記の説明においては、パネル部材を面発光機能を有するものとするために内部に樹脂粒子を拡散して混入されるとして説明したが、これには限られず、透明（又は透光性を有する）板状の樹脂部材の背面側に、凹状（例えば、半球状又は円錐状）の反射ドットを複数形成する方法としてもよく、また、透明（又は透光性を有する）板状の樹脂部材の背面側に、断面略Ｖ字状の溝部をＬＥＤからの光の照射方向に対して略直角方向に形成する方法としてもよい。
【００８８】
また、以下の構成としてもよい。すなわち、「建築物の壁面に使用する壁面パネルであって、透光性を有するバインダー樹脂内に透光性を有する樹脂粒子が拡散して混入された板状のパネル部材と、該パネル部材の正面側の面に設けられ、透光性を有し板状を呈する透光性部材で、該樹脂粒子が混入されていない透光性部材と、該透光性部材の正面側の面に形成された装飾層で、光透過性の塗料を手書きにより塗布することにより形成された装飾層と、パネル部材の背面側に形成され、パネル部材の側に光反射面を有する光反射シートと、該パネル部材の端面に向けて光を照射する複数のＬＥＤを列設したＬＥＤ基板と、を有することを特徴とする壁面パネル。」としてもよい（これを第２の構成とする。また、請求項１の構成を第１の構成とする）。
【００８９】
上記第２の構成の壁面パネルにおいては、ＬＥＤ基板に設けられたＬＥＤから光が照射されると、パネル部材内に拡散して混入された樹脂粒子と光反射シートにより、パネル部材の正面側の面が面発光する。また、パネル部材の正面側から照射された光は、透光性部材を通って透光性部材の正面側から外部に照射されるので、透光性部材も面発光する。すると、面発光により正面側に照射された光のうち、装飾層の背面から照射された光は装飾層を透過して正面側に照射される。これにより、装飾層も背面から光照射される。よって、装飾層が背面側から光照射され、これにより、装飾性を向上させることができる。特に、装飾層は、塗料を手書きにより塗布されていて、塗料の厚みが不均一に形成されているので、厚みの薄い部分は光の透過性が高く、また、厚みの厚い部分は光の透過性が低いので、光の透過性に差を設けた微妙な表現をすることができ、従来にない趣きのある装飾を行なうことができる。
【００９０】
また、パネル部材の正面側に透光性部材が設けられていることから、パネル部材の正面側の面が反射率の低い鏡面として作用し、装飾層の背面側の面がパネル部材の正面側の面に写り込み、壁面パネルを正面側から視認した場合に、装飾層の正面側の面とともに、パネル部材の正面側の面に写り込んだ装飾層の背面側の画像を見ることができ、装飾層の絵柄の周囲が二重に表現される。また、透光性部材の正面側とパネル部材の正面側とが前後方向にずれていることから装飾層の正面側の面と装飾層の背面側の面とがずれて表示されるので、奥行き感のある表現ができる。以上のようにして、従来にない趣きのある装飾を行うことができる。
【００９１】
なお、上記第１及び第２の構成において、パネル部材における樹脂粒子の含有量は、バインダー樹脂が１００重量％に対して、樹脂粒子が４０〜１２０重量％とするのが好ましい。
【００９２】
また、以下の構成としてもよい。すなわち、「建築物の壁面に使用する壁面パネルであって、透光性を有するバインダー樹脂内に透光性を有する樹脂粒子が拡散して混入された板状のパネル部材と、該パネル部材の背面側の面に設けられ、透光性を有し板状を呈する透光性部材で、該樹脂粒子が混入されていない透光性部材と、該パネル部材の正面側の面に形成された装飾層で、光透過性の塗料を手書きにより塗布することにより形成された装飾層と、透光性部材の背面側に形成され、透光性部材の側に光反射面を有する光反射シートと、該透光性部材の端面に向けて光を照射する複数のＬＥＤを列設したＬＥＤ基板と、を有することを特徴とする壁面パネル。」としてもよい（これを第３の構成とする）。
【００９３】
上記第３の構成の壁面パネルにおいては、ＬＥＤ基板に設けられたＬＥＤから光が照射されると、光は光反射シートによりパネル部材の背面側に至る。パネル部材に背面側から光が入射すると、パネル部材内に拡散して混入された樹脂粒子により、パネル部材の正面側の面が面発光する。すると、面発光により正面側に照射された光のうち、装飾層の背面から照射された光は装飾層を透過して正面側に照射される。これにより、装飾層も背面から光照射される。よって、装飾層が背面側から光照射され、これにより、装飾性を向上させることができる。特に、装飾層は、塗料を手書きにより塗布されていて、塗料の厚みが不均一に形成されているので、厚みの薄い部分は光の透過性が高く、また、厚みの厚い部分は光の透過性が低いので、光の透過性に差を設けた微妙な表現をすることができ、従来にない趣きのある装飾を行なうことができる。
【００９４】
また、透光性部材の正面側にパネル部材が設けられていることから、透光性部材の正面側の面が反射率の低い鏡面として作用し、装飾層の背面側の面が透光性部材の正面側の面に写り込み、壁面パネルを正面側から視認した場合に、装飾層の正面側の面とともに、透光性部材の正面側の面に写り込んだ装飾層の背面側の面を見ることができ、装飾層の絵柄の周囲が二重に表現される。また、パネル部材の正面側と透光性部材の正面側とが前後方向にずれていることから装飾層の正面側の面と装飾層の背面側の面とがずれて表示されるので、奥行き感のある表現ができる。
【００９５】
また、特に、面発光機能を有するパネル部材が透光性部材よりも正面側にあり、透光性部材内には樹脂粒子が混入されているため、透光性部材の面への写り込みもぼやけたものとなり、装飾層の正面側の面は明確に視認できるものの、写り込みの画像はぼけていることから、これらにより従来にない趣きのある装飾を行うことができる。
【００９６】
また、以下の構成としてもよい。すなわち、「建築物の壁面に使用する壁面パネルであって、透光性を有するバインダー樹脂内に透光性を有する樹脂粒子が拡散して混入された板状の第１パネル部材と、該第１パネル部材の正面側の面に設けられ、バインダー樹脂内に光透過性の樹脂粒子が拡散して混入された板状の第２パネル部材と、該第２パネル部材の正面側の面に形成された装飾層で、光透過性の塗料を手書きにより塗布することにより形成された装飾層と、該第１パネル部材の背面側に形成され、第１パネル部材の側に光反射面を有する光反射シートと、該第１パネル部材の端面に向けて光を照射する複数のＬＥＤを列設したＬＥＤ基板と、を有することを特徴とする壁面パネル。」としてもよい（これを第４の構成とする）。
【００９７】
この第４の構成の壁面パネルにおいては、ＬＥＤ基板に設けられたＬＥＤから光が照射されると、第１パネル部材内に拡散して混入された樹脂粒子と光反射シートにより、第１パネル部材の正面側の面が面発光する。また、第１パネル部材から面発光により出力された光は、第２パネル部材内に侵入し、樹脂粒子により乱反射し、第２パネル部材の正面側の面の全面が発光する。すると、面発光により正面側に照射された光のうち、装飾層の背面から照射された光は装飾層を透過して正面側に照射される。これにより、装飾層も背面から光照射される。よって、装飾層が背面側から光照射され、これにより、装飾性を向上させることができる。特に、装飾層は、塗料を手書きにより塗布されていて、塗料の厚みが不均一に形成されているので、厚みの薄い部分は光の透過性が高く、また、厚みの厚い部分は光の透過性が低いので、光の透過性に差を設けた微妙な表現をすることができ、従来にない趣きのある装飾を行なうことができる。
【００９８】
また、第１パネル部材の正面側に第２パネル部材が設けられていることから、第１パネル部材の正面側の面が反射率の低い鏡面として作用し、装飾層の背面側の面が第１パネル部材の正面側の面に写り込み、壁面パネルを正面側から視認した場合に、装飾層の正面側の面とともに、第１パネル部材の正面側の面に写り込んだ装飾層の背面側の面を見ることができ、装飾層の絵柄の周囲が二重に表現される。また、第２パネル部材の正面側と第１パネル部材の正面側とが前後方向にずれていることから装飾層の正面側の面と装飾層の背面側の面とがずれて表示されるので、奥行き感のある表現ができる。
【００９９】
特に、面発光機能を有する第２パネル部材が第１パネル部材よりも正面側にあり、第２パネル部材内には樹脂粒子が混入されているため、第１パネル部材の面への写り込みもぼやけたものとなり、装飾層の正面側の面は明確に視認できるものの、写り込みの画像はぼけていることから、これらにより従来にない趣きのある装飾を行うことができる。
【０１００】
なお、上記第３及び第４の構成において、パネル部材における樹脂粒子の含有量は、バインダー樹脂が１００重量％に対して、樹脂粒子が４０〜６０重量％とするのが好ましい。
【０１０１】
なお、以下の構成としてもよい。すなわち、上記第１から第３までのいずれかの構成において、上記樹脂粒子が、異なる光透過率及び／又は屈折率を有する複数種類の光透過性の樹脂粒子により構成されていることを特徴とするものとしてもよい（これを第５の構成とする）。これにより、光の拡散と輝度とを調整することができる。
【０１０２】
また、上記第１から第５までのいずれかの構成において、上記ＬＥＤ基板の各ＬＥＤが、異なる色の光を出力する機能を有し、ＬＥＤからの発光色を切換え制御する制御回路が設けられていることを特徴とするものとしてもよい（これを第６の構成とする）。これにより、ＬＥＤからの光の色を順次切り替えることができ、面発光される光の色を順次切り替えることができる。
【０１０３】
また、上記第１から第６までのいずれかの構成において、ＬＥＤ基板におけるＬＥＤに印加される電圧レベルを制御してＬＥＤから出力される光の光量を制御する制御装置が設けられていることを特徴とするものとしてもよい（これを第７の構成とする）。これにより、ＬＥＤからの光の光量を順次切り替えることができ、面発光される光の光量を順次切り替えることができる。
【０１０４】
また、建築物の壁面に使用する壁面パネルが複数列設された壁面パネル群であって、請求項１から７までのいずれかの構成の複数の壁面パネルと、壁面パネルにおけるＬＥＤからの出力タイミングを切換え制御する複数の制御装置で、該複数の制御装置間のインターフェース機能を有する制御装置と、を有し、複数の制御装置における各制御装置が、１又は複数の壁面パネルごとにＬＥＤ基板に接続され、１つの制御装置から出力された切換え信号を該制御装置が接続されたＬＥＤ基板に送信するとともに、他の制御装置に対して送信し、該他の制御装置は、受信した切換え信号を該他の制御装置が接続されたＬＥＤ基板に送信することにより、複数の壁面パネルのＬＥＤからの出力タイミングを同期させることを特徴とするものとしてもよい（これを第８の構成とする）。よって、少ないコストで、多くの壁面パネルのＬＥＤの表示切換えを制御することができる。
【０１０５】
また、上記第８の構成において、切換え制御される出力タイミングが、ＬＥＤからの発光色の切換えタイミングと、ＬＥＤから光量の切換えタイミングのいずれかであることを特徴とするものとしてもよい。
【０１０６】
（１）また、パネル部材は、絵筆により図柄が描画された構成であるため、色彩の濃淡を含むグラデーションを具現することが可能となり、また、芸術性（著作性）を併せて該図柄部分に有するものとして形成することができる。また、パネル部材に、図柄、文字、記号が印刷成型され、あるいは、刻設された構成としてもよいことは勿論である。
【０１０７】
（２）以上説明した壁面パネルは、宴会場や展示場、会議場や食堂等の室内空間に趣向性を与えるとともに、空間を仕切るパーティション機能を有するものとすることができる。
【０１０８】
また、実施例に記載した壁面パネルは、発光色、光量、点滅パターン等を切り換えることにより、宴会場や展示場、会議場や食堂等の室内空間における趣向（発光色、濃淡等の変換を含む）を瞬時に切り換え、季節感（春夏秋冬）や、時節（日中、たそがれ、夜間）等、様々な雰囲気や室内環境を臨機応変に形成することができるものとなる。
【０１０９】
（３）なお、以上説明した壁面パネルは、宴会場や展示場、会議場や食堂等の室内空間における照明態様を、タイマー設定等により発光色、光量、点滅パターン等を切り換えることにより、時刻ととともに変遷するものとするものとし、補助的照明の態様とすることができ、さらには、併設、列設された複数の壁面パネルを、同期してあるいはシーケンスやランダムに、個別に発光制御して、室内空間の利用形態に適宜対応した室内環境を形成するものとすることができる。
【０１１０】
なお、バインダー樹脂内部での光透過率及び／又は屈折率を調整する光透過性樹脂剤としての樹脂粒子１４を混入して光拡散層を形成した光透過性樹脂パネル（パネル本体１０、１１０、２１０、３１０）の光放射面には、光透過性樹脂塗料により絵筆で描画される絵柄面（装飾層）を形成する一方、当該光透過性樹脂パネルの側面側には、前記光拡散層に向けて光を放射する複数のＬＥＤ５４を列設した表示回路基板（ＬＥＤ基板５０）を係着するとともに、該光透過性樹脂パネルの背面側には、受けた光束を光放射面に向けて投射する光反射シート３０、３２、３４を添着して導光板（壁面パネル）を形成し、当該導光板を室内に複数枚配設するとともに、これら複数の導光板に係着された前記表示回路基板から引き出された配線を同一の電気系統を共有するようコネクタ等により脱着可能に接続して、室内壁面を形成し若しくは室内壁面を分離して照明駆動する壁面パネルＡ１、Ａ２、Ａ３、Ａ４によっては、前記（１）、（２）、（３）で既述した作用効果とともに、光透過性樹脂剤を均一に混入させることにより、光透過性樹脂剤の混入により形成した光拡散層によりＬＥＤにより放射された光を拡散制御し導光板（壁面パネル）の表示画面上における輝度を均質なものとする効果を生じる。また、光拡散層における光透過性樹脂剤の混入密度を導光板内における部位の別により異ならせ、導光板表示画面上における特定の部位の領域の輝度を変更する形態とした場合で、導光板に添着し若しくは描画し或いは印刷した図柄、記号、文字に一致する光透過性樹脂剤の混入構造にあっては、導光板に添着し若しくは描画し或いは印刷した図柄、記号、文字による趣向性や識別性を高める。一方、導光板に添着し若しくは描画し或いは印刷した図柄、記号、文字には係わらない光透過性樹脂剤の混入形態にあっては、導光板に添着し若しくは描画し或いは印刷した図柄、記号、文字とは別で異質の意匠形態の趣向性とを壁面パネルに出現させる効果を生じる。
【図面の簡単な説明】
【０１１１】
【図１】本発明の実施例における壁面パネルを示す斜視図である。
【図２】実施例１の壁面パネルの要部斜視図である。
【図３】実施例１の壁面パネルの要部平面図である。
【図４】実施例２の壁面パネルの要部平面図である。
【図５】実施例３の壁面パネルの要部平面図である。
【図６】実施例４の壁面パネルの要部平面図である。
【図７】実施例５の壁面パネルの要部平面図である。
【図８】本発明の実施例に基づく壁面パネル群の構成を示す説明図である。
【図９】本発明の実施例における壁面パネルの使用状態を示す要部斜視図である。
【符号の説明】
【０１１２】
Ａ１、Ａ２、Ａ２’、Ａ３、Ａ４  壁面パネル
Ｂ  壁面パネル群
１０、１１０、２１０、３１０  パネル本体
１２  バインダー樹脂
１４  樹脂粒子
２０  装飾層
３０、３２、３４  光反射シート
４０  フレーム部
５０  ＬＥＤ基板
５２  基板本体
５４、５６  ＬＥＤ
１１２、２１４、３１２、３１４  パネル部材
１１４、２１２  透明部材
５００、５０２  コントローラ
５１０  リモコン受信装置
５２０  リモコン
【図１】
0004464438.tif 000002
【図２】
0004464438.tif 000003
【図３】
0004464438.tif 000004
【図４】
0004464438.tif 000005
【図５】
0004464438.tif 000006
【図６】
0004464438.tif 000007
【図７】
0004464438.tif 000008
【図８】
0004464438.tif 000009
【図９】
0004464438.tif 000010